(57)【要約】
【課題】  光の反射により際立つ絵柄をエンボス加工により施してカード保護用袋の価値を高めることを課題とする。
【解決手段】  カード６を可及的密に挿入可能に一端が開放され他の三辺３，４，４がシールされたカード保護用袋であって、袋の一面を構成するフイルム１が、補強用フイルム７と、この補強用フイルム上に設けられた背景色付与層８と、この背景色付与層上に積層された透明フイルム９とを有する複合フイルムで構成し、最外層の前記透明フイルムにエンボス加工による絵柄１０を施したことにある。
【選択図】  図１
0003100798.tif 000002
【実用新案登録請求の範囲】
【請求項１】
カードを可及的密に挿入可能に一端が開放され他の三辺がシールされたカード保護用袋であって、袋の一面を構成するフイルムが、補強用フイルムと、この補強用フイルム上に設けられた背景色付与層と、この背景色付与層上に積層された透明フイルムとを有する複合フイルムで構成され、最外層の前記透明フイルムにエンボス加工による絵柄が施されていることを特徴とするカード保護用袋。
【請求項２】
前記最外層の透明フイルムが複数層の積層フイルムで構成されている請求項１記載のカード保護用袋。
【請求項３】
前記背景色付与層が着色フイルムで構成されている請求項１または２記載のカード保護用袋。
【請求項４】
前記背景色付与層が前記補強用フイルムに印刷された印刷層で構成されている請求項１または２記載のカード保護用袋。
【請求項５】
前記背景色付与層が金属蒸着膜で構成されている請求項１または２記載のカード保護用袋。
【請求項６】
前記最外層の透明フイルムが二軸延伸ポリプロピレンで構成され、補強用フイルムが無延伸ポリプロピレンで構成されているカード保護用袋。
【請求項７】
カードを可及的密に挿入可能に一端が開放され他の三辺がシールされたカード保護用袋の製造装置であって、袋の表側の面を構成する長尺の表面フイルム、および裏側の面を構成する長尺の裏面フイルムをそれぞれ別々に給送する表面フイルムおよび裏面フイルムの給送手段と、前記表面フイルムの給送途上に配設され周面にエンボス加工用の絵柄が刻設された絵柄エンボス加工用ドラムと、このドラムの下流位置にあって前記表面フイルムと裏面フイルムとを重合させ、重合された表面および裏面フイルムを袋としての大きさに溶断して一端が開放された袋とする溶断部とを具有することを特徴とするカード保護用袋の製造装置。
【請求項８】
前記表面フイルムが、補強用フイルムと、この補強用フイルム上に設けられた背景色付与層と、この背景色上に積層された透明フイルムとを有する複合フイルムであり、前記透明フイルムに前記絵柄エンボス加工用ドラムにより絵柄を刻設するようにされている請求項７記載のカード保護用袋の製造装置。
【考案の詳細な説明】
【技術分野】
【０００１】
本考案はゲーム用カード、その他のカード類を１枚単位で収納するカード保護用袋に関する。
【背景技術】
【０００２】
近時、カードを用いたカードゲームが世界的に広まっている。
【０００３】
この種のカードは、それ自体希少価値のあるカードが混ざっており、そのカードをゲームで獲り合うような遊び（トレーディングゲーム）に用いられる。
【０００４】
このような希少価値のあるカードは、それを所有する者は「宝物」のように大切にするもので、汚したり傷付けたりすることを極力避けるようにして所持される。
【０００５】
カードを獲り合うトレーディングゲーム以外のカードで、ゲームだけを争うカードもあるが、この種のカードにおいてもやはり大切なカードは汚さぬよう大切に扱われる。
【０００６】
そのためこの種のカードは透明なプラスチックフイルムで構成された袋に１枚ずつ納められ、袋に入れたままでゲームに使用するようになされる。
【考案の開示】
【考案が解決しようとする課題】
【０００７】
しかしながら従来のカード保護用袋は、単に透明なフイルム製であるから、カードを汚さない保護機能を有している点では十分目的を達してはいるが、面白味に欠けるものであり、所持していても目立つ要素がなかった。
【０００８】
本考案は、袋自体に変化を持たせ、持っているだけで楽しさを増し、他の者が所有するカード入りの袋と際立った違いをみせ、存在感を目立たせることのできるカード保護用袋を提供することを課題としてなされたものである。
【課題を解決するための手段】
【０００９】
上記課題を解決する手段として本考案は、カード保護用袋の一面を構成するフイルムを、補強用フイルムと、この補強用フイルム上に設けられた背景色付与層と、この背景色付与層上に積層された透明フイルムとを有する複合フイルムで構成し、最外層の前記透明フイルムにエンボス加工による絵柄を刻設したことにある。
【００１０】
このように最外層の透明フイルムにエンボス加工によって絵柄が施されているので、その凹凸により光が乱反射して絵柄が背景色をもって浮き出るように見える。
【００１１】
したがって背景色付与層の色と相俟ってきわめて目立つ絵柄を呈し、在来の無色透明の袋に比べ際立った差別感を与えることができる。
【００１２】
最外層の透明フイルムを複数層の積層フイルムとすれば、各層における光の反射面が増すので一層絵柄にホログラフイックな見え方をもたらし、深みのある絵柄を呈することができる。
【００１３】
前記背景色付与層を金属蒸着膜で構成すれば、きらきらした絵柄とすることができ、エンボスをホログラムとすれば見る方向によって変化に富んだ絵柄を現出させることができる。これは最外層の透明フイルムに複数層の積層フイルムを組み合わせれば、一層ホログラム効果を高めることができる。
【００１４】
いずれにおいても、このカード保護用袋にカードを納めて所持すれば、ひときわ見立つことになって満足感を与えることができる。
【００１５】
一方、上記カード保護用袋を高能率に量産を可能とする装置として、袋の表側の面を構成する長尺の表面フイルム、および裏側の面を構成する長尺の裏面フイルムをそれぞれ別々に給送する表面フイルムおよび裏面フイルムの給送手段と、前記表面フイルムの給送途上に配設され周面にエンボス加工用の絵柄が刻設された絵柄エンボス加工用ドラムと、このドラムの下流位置にあって前記表面フイルムと裏面フイルムとを重合させ、重合された表面フイルムを袋としての大きさに溶断して一端が開放された袋とするようにしたことにある。
【００１６】
こうしたことにより、表面フイルムの最外層へのエンボス加工を連続的に行え、エンボス加工により絵柄が刻設された表面フイルムと裏面フイルムとを合体させて所定のピッチで溶断することで袋を形成することができるので、量産が可能となり、袋を安価に提供するうえで大きな効果を発揮する。
【考案の効果】
【００１７】
本考案によるカード保護用袋によれば、袋の表面フイルムを構成するフイルムを、補強用フイルムと、この補強用フイルムの上に設けた背景色付与層と、この背景色付与層の上に積層される最外層の透明フイルムとの複合フイルムとし、この最外層の透明フイルムにエンボス加工を施してこのエンボスによる絵柄を刻設したので、そのエンボスによる凹凸により光が乱反射して絵柄が背景色付与層の色と相俟って独特の立体感のある絵柄が浮き出て見え、このカード保護用袋にカードを納めて所有することにより他者との差別感が強調され、所持する者に多大な満足感を与えることができる。
【００１８】
請求項２のように、最外層の透明フイルムを複数層の積層フイルムとすれば、光の反射面が増えるので一層絵柄がホログラフィックに見え、深みのある絵柄を現出させることができる。
【００１９】
請求項３のように、背景色付与層を着色フイルムで構成すれば、鮮やかな色彩の背景色を得ることができる。また請求項４のように、背景色付与層を印刷層で構成すれば、多色の背景色を与えることができ、絵柄に顕著な変化をもたらしめることができる。
【００２０】
請求項５のように、背景色付与層を金属蒸着膜で構成すれば、きらきらと輝いた絵柄とすることができ、際立って目立たせることができ、ホログラム効果を最も強く発揮させることができる。
【００２１】
請求項６のように、最外層をＯＰＰフイルムとすれば、袋の表面の透明性を高めて光の乱反射によるホログラム効果を高めることができるとともに袋の表面が丈夫な袋とすることができ、また補強用フイルムをＣＰＰフイルムとすることにより、裏面フイルムとの接着性を高めることができ、袋としたのち表面フイルムと裏面フイルムとを剥離しにくくすることができる。
【００２２】
請求項７の製造装置によれば、エンボス加工をドラムの回転により連続的に行うことができるので、カード保護用袋を高能率に量産することができ、エンボス加工による絵柄付きのカード保護用袋であっても安価に提供することができる。
【考案を実施するための最良の形態】
【００２３】
以下、本考案を図面に示す実施の形態を参照して説明する。
【００２４】
図１は本考案に係るカード保護用袋の一実施形態を示すもので、通常縦９２mm、横６６mmのサイズに形成され、表面フイルム１とこれに重なる裏面フイルム２との一端を除く他の三辺３，４，４がヒートシールされて袋とされ、その一端の開口部５からカード６が可及的密に挿入することができるように形成されている。
【００２５】
前記表面フイルム１は、図２に一部を拡大断面図として模式的に示すように、ベースとなる補強用フイルム７（透明フイルム）と、この補強用フイルム７の上に設けられる背景色付与層８と、この背景色付与層８上に積層される最外層の透明フイルム９とからなる複合フイルムで構成されている。
【００２６】
そして上記最外層の透明フイルム９にエンボス加工が施されてこのエンボスにより絵柄１０が形成されている。
【００２７】
ちなみに前記各層の厚みは、補強用フイルム７が３０〜５０μｍ、背景色付与層８が２５〜５０μｍ、最外層の透明フイルム９が１８〜２０μｍとされ、表面フイルム１の全厚が各層を接合するドライラミ層を含め０．１mm程度とされている。
【００２８】
上記の構成により、エンボス加工による凹凸１０ａの形成によって透明フイルム９に当たる光が様々に乱反射し、それにより表現される絵柄１０が変化に富んだものとなって現出され、これに背景色付与層８による色彩が加わって独特の雰囲気を持つ袋となり、ひときわ目立つ袋となる。
【００２９】
前記最外層の透明フイルム１を図３に示すように複数層の積層フイルム９Ａとすれば、光の反射面が多くなるので一層変化に富んだ絵柄１０を現出させることができる。
【００３０】
前記背景色付与層８としては、着色（有色）フイルム８Ａ（図２，図３）、印刷８Ｂ（図４，図５）、金属（アルミ）蒸着膜８Ｃ（図６，図７）のいずれかを選択することができる。
【００３１】
前記着色フイルム８Ａによれば、そのフイルムの色彩が絵柄１０を彩るものとなり、前記印刷８Ｂによれば、種々の色の付いた絵柄１０を得ることができ、前記金属蒸着膜８Ｃによれば、きらきらと輝きを持つ絵柄１０とすることができる。特に金属蒸着膜８Ｃによれば、ホログラム効果を最もよく現し、際立って目立つ絵柄１０とすることができる。
【００３２】
前記表面フイルム１の複合構造の組み合わせを整理すると下記の通りである。
〔最外層〕    〔背景色付与層〕  〔内層〕
単層透明フイルム＋着色フイルム＋補強用フイルム    （図２）
積層透明フイルム＋着色フイルム＋補強用フイルム    （図３）
単層透明フイルム＋  印  刷    ＋補強用フイルム    （図４）
積層透明フイルム＋  印  刷    ＋補強用フイルム    （図５）
単層透明フイルム＋金属蒸着膜  ＋補強用フイルム    （図６）
積層透明フイルム＋金属蒸着膜  ＋補強用フイルム    （図７）
【００３３】
上記表面フイルム１の各層の構成材料としては、最外層の透明フイルム９を伸縮性のない二軸延伸ポリプロピレン（ＯＰＰ）とし、補強用フイルム７を無延伸ポリプロピレン（ＣＰＰ）とすることが好ましい。
【００３４】
すなわち最外層の透明フイルム９をＯＰＰとすることにより透明度が高く、絵柄１０の見え方をよくすることができると同時に丈夫な袋とすることができる。また補強用フイルム７をＣＰＰとすることにより透明度は劣るも延伸性に優れ、袋とする際の裏面フイルム２（ＣＰＰフイルム）への接着性がよく、袋としたのちに剥がれてしまうことのない丈夫なカード保護用袋とすることができる。
【００３５】
この裏面フィルム２としては表面フィルム１の厚みと略同厚（例えば０．１ｍｍ）とされ、透明フィルム、半透明フィルム、ホログラム付きフィルムとし、袋内に入れたカード６が透視可能なフィルムとされる。
【００３６】
図８、図９は前記カード保護用袋の製造装置の一例を示すもので、図８はエンボス加工を行うエンボス加工部の正面図を、図９は表面フイルム１と裏面フイルム２とを合体させて所定の位置で溶断する溶断部を示している。
【００３７】
前記エンボス加工部は、表面フイルム１の原反１１から引き出される表面フイルム１の通路１２の上部に周面に絵柄が刻設されたエンボス加工用ドラム１３が、これと対応する下部にシリコンロール等からなる受けロール１４が設けられ、エンボス加工済みの表面フイルム１はモータ１５により駆動される巻き取り軸１６に巻き取られるようになっている。
【００３８】
前記エンボス加工用ドラム１３によるエンボス加工により絵柄が施された表面フイルム１は、図９に例示するように裏面フイルム２と合体されるよう送られ、合体後の位置に間欠的に上下動して袋の三辺３，４，４を溶断する溶断ヘッド１７が配設されている。
【００３９】
したがって表面フイルム１を連続的に送り、その途上でエンボス加工用ドラム１３の回転により一定の間隔をおいて１袋分ずつの絵柄１０のエンボス加工が行われ、エンボス加工済みの表面フイルム１と、別途セットされる裏面フイルム２とを給送して合体させ、給送する間に間欠的に溶断ヘッド１７の上下動作により１袋ずつ三辺を溶断して袋を得る。
【００４０】
なお本考案によるカード保護用袋は、ゲームカード以外のカード、例えば絵はがき、その他これに類するカード用としても使用することができ、なかでも観光地等にあってその地の名所や花、その他当地の記念になる絵柄をエンボス加工により表現するようにし、これに当地の絵はがきを収納して販売するようにすれば、記念品としての価値を高め、お土産としても斬新なものとすることができる。
【図面の簡単な説明】
【００４１】
【図１】本発明によるカード保護用袋の一実施形態を示す斜視図。
【図２】図１のカード保護用袋の表面フイルムの一形態を示す一部の拡大断面図。
【図３】同、他の形態を示す図２相当図。
【図４】同、さらに他の形態を示す図２相当図。
【図５】同、さらに他の形態を示す図２相当図。
【図６】同、さらに他の形態を示す図２相当図。
【図７】同、さらに他の形態を示す図２相当図。
【図８】本考案によるカード保護用袋の製造装置におけるエンボス加工部の一実施形態を示す正面図。
【図９】同、溶断部を示す説明図。
【符号の説明】
【００４２】
１  表面フイルム
２  裏面フイルム
６  カード
７  補強用フイルム
８  背景色付与層
８Ａ  着色フイルム
８Ｂ  印刷層
８Ｃ  金属蒸着層
９  最外層の透明フイルム
１０  絵柄
１３  エンボス加工用ドラム
１４  受けロール
１７  溶断ヘッド
【図１】
0003100798.tif 000003
【図２】
0003100798.tif 000004
【図３】
0003100798.tif 000005
【図４】
0003100798.tif 000006
【図５】
0003100798.tif 000007
【図６】
0003100798.tif 000008
【図７】
0003100798.tif 000009
【図８】
0003100798.tif 000010
【図９】
0003100798.tif 000011